(57)【特許請求の範囲】
【請求項１】
発信側が希望する無線通信システムの条件に関する情報を含む呼出要求を受信する受信手段と、
前記受信手段が受信した呼出要求に対応して、前記発信側が希望する無線通信システムの条件に関する情報を着信側に通知する通知手段と、
前記通知手段による通知に対して、前記発信側が希望する無線通信システムの条件に適合する無線通信システムを着信側が利用する旨の情報を受信すると、前記呼出要求を着信側に対して送信するように制御する制御手段と、
を備えることを特徴とするサーバ装置。
【請求項２】
前記制御手段は、前記通知手段による通知に対して、前記発信側が希望する無線通信システムの条件に適合しない無線通信システムを着信側が利用する旨の情報を受信すると、前記着信側が利用する無線通信システムの情報を発信側に通知し、前記呼出要求を着信側に対して送信しないように制御することを特徴とする請求項１記載のサーバ装置。
【発明の詳細な説明】
【技術分野】
【０００１】
本発明は、無線通信装置（無線通信端末）、および、発信側・着信側の無線通信装置間の通信の呼制御を行うサーバ装置に関するものである。
【背景技術】
【０００２】
ＶｏＩＰ（Voice over Internet Protocol）を応用したインターネット電話などのリアルタイムアプリケーションにおいて接続要求などの呼制御を実現する通話制御プロトコルの１つとして、ＳＩＰ（Session Initiation Protocol ）という規格が定められている（例えば非特許文献１参照）。
【０００３】
ＳＩＰは、当初はインターネット上の有線ネットワークで接続されているＰＣやサーバなどのコンピュータ間でのＶｏＩＰ通信のために利用されてきた。しかしながら、近年、無線通信機器においてもデジタル化およびＩＰ化が進み、ＳＩＰをサポートする無線通信事業者（オペレータ）のＳＩＰサーバおよび無線通信端末（装置）が開発されている。さらに、最近では無線通信技術の発展に伴って、１つの無線通信端末が、異なる無線通信システム（無線通信ネットワーク）に接続可能な複数の無線通信デバイスを備えることが可能になってきた。典型的な構成は、ＰＤＡ、ＰＣ、或いは携帯電話機が、携帯電話ネットワークと接続する第１の無線通信デバイスと、ＷｉＦｉやＷｉＭＡＸなどの無線ＬＡＮやＭＡＮ（MetropolitanArea Network）のステーションと接続する第２の無線通信デバイスとを備えるものである。
【非特許文献１】ウェブサイト：http://www.ietf.org/rfc/rfc3261.txt （ＳＩＰを規定するＲＦＣ文書）
【発明の開示】
【発明が解決しようとする課題】
【０００４】
しかしながら、ＳＩＰ技術は、元々は有線通信ネットワークを対象とした技術であり、帯域や通信品質が時々刻々と変化する無線通信ネットワークは想定していなかった。さらに、ＳＩＰ技術は、複数の無線通信ネットワークに接続可能な無線通信装置などは対象としていなかった。即ち、インターネット上の有線通信ネットワークにおけるＳＩＰ技術の開発は進んでいるが、異種の無線通信ネットワークが複数あり、このような複数の異種無線ネットワークに跨る通信環境を前提としたＳＩＰ技術の開発は遅れている。
【０００５】
図１７に、従来技術による無線通信ネットワーク構成図を示す。図示するように、サーバやゲートウェイとしては、ＳＩＰサーバ３０、ゲートウェイ（ＧＷ）４０、ＳＭＳサーバ５０、ＧＷ（或いはＳＩＰサーバ）６０，７０がある。発信側および着信側の通信端末としては、無線通信端末ＵＡ１，ＵＡ２がある。これらの各端末は、上述した各サーバと、オペレータパケットネットワークＮＥＴ１、オペレータ回線交換ネットワークＮＥＴ２、オペレータ無線通信パケットネットワークＲＮＥＴ１，ＲＮＥＴ２を介して接続されている。
【０００６】
従来技術では、例えば、図示したような無線通信ネットワーク構成において、無線通信端末ＵＡ１のＳＩＰ接続要求（発呼;Invite）に応じて、オペレータ無線通信パケットネットワークＲＮＥＴ１に対応する回線交換ネットワークのＳＭＳサーバ５０によるＳＭＳ（ショートメッセージサービス）メッセージによって無線通信端末ＵＡ２が呼び出される（パケットネットワークへの接続と登録動作の指示）場合、無線通信端末ＵＡ２は、呼び出された回線交換ネットワークに対応する（同じ通信事業者が提供する）無線通信ネットワークのパケット交換ネットワーク（この場合はＲＮＥＴ１）を介してＳＩＰサーバ３０に対して、ＳＩＰ（Session Initiation Protocol ）の登録動作（Register）を行い、以後ＳＩＰの手続きにより通話を成立させる。このような方法は、１つのオペレータ無線通信パケットネットワークとそれに対応する回線交換ネットワークしか利用できない無線通信端末を前提としたものある。一方、無線通信端末ＵＡ２が、２つのオペレータ無線通信パケットネットワークＲＮＥＴ１，ＲＮＥＴ２に接続する機能を持ち、２つの選択肢がある場合、従来技術のＳＩＰ（即ち、ＳＩＰを実装する無線通信端末ＵＡ２）では、上述したように、接続要求（パケットネットワークへの接続と登録動作の指示）を含むメッセージが通過した経路に対応するネットワーク（この例ではオペレータ無線通信パケットネットワークＲＮＥＴ１）を経由してＳＩＰの登録を行い、このパケットネットワーク経路を使って発呼側／発信側（Calling party ）とセッションを取ることになる。このようなセッション確立方式では、発呼側ユーザ（Calling party ）が使用を所望するアプリケーションに応じた帯域、或いは、発呼側ユーザの希望する課金などに関する希望や好み、即ち、プリファレンスが必ずしも反映されているとは言えない。即ち、接続要求を行ったユーザ（Calling party)のプリファレンスが全く考慮されていない。
【０００７】
たとえ、発信側が、発呼をＳＩＰの呼設定メッセージ（ＩＮＶＩＴＥ）により行うときに、発信側の希望するプリファレンス（条件）を着信側に伝えたとしても、着信側では、発信側の条件にできるだけ対応した無線通信システムを選択することは可能であっても、発信側では、着信側が選択した無線通信システムをセッションを開始するまでは知ることができない。即ち、発信側端末は、着信側端末がどのような無線通信ネットワークに接続できるか（どれだけの帯域を使用できるか）、或いは、実際にどの無線通信システムを選択したのかは、セッションを確立して初めてわかる。そのため、着信側端末が発信側の通知するプリファレンスに合致しない、合致したとしても、その合致内容がどの程度なのかは、セッション確立まで発信側では分らなかった。例えば、着信側端末が、所要帯域に満たない帯域の無線通信ネットワークにしか現状では接続できない場合、発信側端末では、着信側端末の現在の無線通信状況を考慮した最適な帯域、最適な無線通信ネットワークで通信を始めることができなかった。
【０００８】
例えば、発信側：「ＷｉＭＡＸ（広帯域），ＥＶＤＯ（低帯域）」、着信側：「ＥＶＤＯ（低帯域）」のときに、発信側が通信料より帯域を優先して、広帯域なＷｉＭＡＸを選択して着信側に発信したときに、着信側は、帯域優先の条件を通知されたとしても低帯域なＥＶＤＯしか接続できないため、着信側は、低帯域なＥＶＤＯで接続することとなる。このような状況では、発信側で広帯域なＷｉＭＡＸを使用しても、着信側で選択された「低帯域なＥＶＤＯ」がボトルネックとなり、結局、当該セッションの帯域はＥＶＤＯの帯域分しか出せず、発信側で消費、占有されるＷｉＭＡＸの帯域は無駄となり、帯域使用効率の面、消費電力の面からも無駄である。特に、無線通信装置は、携行され移動する場合が多く、その無線接続状況は刻々と変化する。このように、刻一刻と変化する電波伝搬環境にある無線通信装置同士の接続において、相互の無線通信状況に応じた最適な無線通信システムをお互いに選択して、着信側、発信側の相互において効率のよい無線通信接続を提供する技法の開発が必要とされている。従って、発呼側／発信側（Calling Party ）の無線通信端末としては、接続可能な複数の無線通信システム（経路、ネットワーク、通信デバイスなど）を有効に利用できていないなどの問題があった。
【０００９】
本発明は、着信側の無線通信端末が複数の無線通信システム（デバイス／経路、ネットワーク、帯域など）を選択肢として持つ場合に、着信側では、発信側の希望する条件に対応した無線通信システムを選択することを可能にすると共に、着信側の接続可能な無線通信システムの状況に応じて、発信側でも、着信側の状況を考慮した最適な無線通信システムを選択して、相互に最適なものを選択した無線通信セッションを発信側と着信側との間で最初から確立させる技法（装置、方法）を提供することを目的とする。
【課題を解決するための手段】
【００１１】
上記目的を達成するため、請求項１に係るサーバ装置は、発信側が希望する無線通信システムの条件に関する情報を含む呼出要求を受信する受信手段と、前記受信手段が受信した呼出要求に対応して、前記発信側が希望する無線通信システムの条件に関する情報を着信側に通知する通知手段と、前記通知手段による通知に対して、前記発信側が希望する無線通信システムの条件に適合する無線通信システムを着信側が利用する旨の情報を受信すると、前記呼出要求を着信側に対して送信するように制御する制御手段と、を備えることを特徴とする。
【００１２】
前記請求項１における制御手段は、前記通知手段による通知に対して、前記発信側が希望する無線通信システムの条件に適合しない無線通信システムを着信側が利用する旨の情報を受信すると、前記着信側が利用する無線通信システムの情報を発信側に通知し、前記呼出要求を着信側に対して送信しないように制御することが好ましい。
【発明の効果】
【００１３】
本発明によれば、少なくとも発信側が回線交換ネットワークに接続できない場合においても、通信開始前に、発信側・着信側間を接続する無線通信システムの選択のための情報のやり取りを、所定の無線通信システムを介して行うので、発信側・着信側双方のユーザの希望する無線通信システムの条件（無線通信ネットワーク、帯域、課金など）に応じた、双方において最適な無線通信システムを利用してセッションを開始することが可能になる。
【発明を実施するための最良の形態】
【００１４】
本発明の原理・構成を詳細に説明する前に、本発明の典型的なシーケンスを簡単に説明する。本発明は様々なタイプの無線通信装置およびその通信制御方法を対象とするが、典型的な無線通信装置である無線通信端末を例にして説明する。
【００１５】
（１）  複数の無線通信ネットワークシステム（デバイス）を具えた無線通信端末（装置）から他の無線通信端末（装置）へリアルタイムアプリケーションの発信をする場合、発信側の無線通信端末は着信側無線通信端末に対し、発信側の接続できる無線通信ネットワーク名と希望するリアルタイムアプリケーションの所要帯域を通知する。着信側の無線通信端末は、自らが接続できる無線通信ネットワークと発信側の接続できる無線通信ネットワークとアプリケーションの所要帯域を考慮して、着信側の無線通信ネットワークを選択し、発信側への応答として選択した着信側の無線通信ネットワークと着信側が接続できる無線通信ネットワーク名を発信側の無線通信端末に通知する。その後、発信側の無線通信端末は、着信側から通知された内容と自らが接続できる無線通信ネットワークとアプリケーションの所要帯域とに基づいて接続する無線通信ネットワークを選択し、発信側、着信側の双方でそれぞれ選択された無線通信ネットワークで必要なＳＩＰの手順を行い、通信状態に至る。
【００１６】
（２）  上記の発信側端末・着信側端末間の発信側の接続できる無線ネットワーク名および希望するリアルタイムアプリケーションの所要帯域の通知や、選択したネットワークの通知は、ＳＩＰサーバを介して行う。また、着信側端末は着信側端末の使用するネットワークを選択すると、選択したネットワークに接続してＳＩＰサーバに登録し、登録されたネットワーク名の発信側無線通信端末への通知をＳＩＰサーバが行う。
（３）  （１）において、発信側の接続できる無線ネットワークおよび必要帯域を通知された着信側の無線通信端末では、帯域条件を満足する無線ネットワークが発信側・着信側で複数ある場合は、その中で一番通信料が安い無線ネットワークを選択する。
（４）  （２）において、発信側無線通信端末は、発信側の接続できる無線ネットワーク名および希望するリアルタイムアプリケーションの所要帯域と共に着信側の接続する希望のネットワーク名を通知する。
（５）  （４）において、発信側無線通信端末からの通知を受信したＳＩＰサーバは、着信側通信端末が通知した希望ネットワークと同じネットワークで接続・登録していれば、通知を着信側通信端末に送信せずに必要なＳＩＰの手順を行い、通信状態に至る。
（６）  （４）において、発信側無線通信端末からの通知を受信したＳＩＰサーバは、通知された希望のネットワーク名および発信側無線通信端末、着信側無線通信端末の組み合わせを記憶する。そして、ＳＩＰサーバは、着信側通信端末が接続・登録すると、発信側通信端末が通知した希望ネットワークと同じネットワークで接続・登録していれば、通知を発信側通信端末に送信せずに必要なＳＩＰの手順を行い、通信状態に至る。
【００１７】
（７）  （１）における選択した着信側の無線ネットワークの帯域が必要帯域に満たなかった場合は、発信側端末は、ユーザに対し所要帯域の少ないアプリケーションに変更するか、着信側無線通信端末への発信を中止するかの選択を求め、中止が選択された場合には着信側端末に中断することを通知し、終了する。変更が選択された場合には、着信側端末のネットワークに合わせた無線ネットワークに切り換え、通知された発信側・着信側の無線ネットワークの帯域で使用できるアプリケーションに変更し、必要なＳＩＰの手順を行う。
（８）  （１）において選択された着信側の無線ネットワークに合わせて発信側のネットワークを切り替えた場合に料金が上がる場合には、発信側端末は、ユーザに対し料金を提示し、無線ネットワークを変更するか、変更しないか、着信側無線通信端末への発信を中止するかの選択を求め、中止が選択された場合には着信側端末に中断することを通知し、終了する。変更が選択された場合には、着信側端末のネットワークに合わせた無線ネットワークに切り換え、変更しないが選択された場合には、切り替えずに、必要なＳＩＰの手順を行う。
（９）  （１）において、発信側の無線通信端末は、着信側の無線通信端末で実現して欲しい帯域を優先するか、それとも課金が安くなることを優先するかといった着信側での無線NWの選択に関するポリシーを、発信側の接続できる無線ネットワーク名および希望するリアルタイムアプリケーションの所要帯域と共に通知する。着信側の通信端末では、通知された無線ネットワークの選択に関するポリシーに応じて、使用する着信側の無線ネットワークを選択する。
【００１８】
以下、本発明を実施するための最良の形態を図面に基づき詳細に説明する。
図１は本発明の第１実施形態の通信制御方法を適用する無線通信ネットワークの通信構成１を示す図である。図１に示すように、サーバやゲートウェイとしては、ＳＩＰサーバ３００、ゲートウェイ（ＧＷ）４０、ＳＭＳサーバ５００、ＧＷ（或いはＳＩＰサーバ）６０、ＧＷ（或いはＳＩＰサーバ）７０がある。ＳＩＰサーバ３００は、呼制御サーバとして機能し、ＳＭＳサーバ５００は、メッセージ送信サーバとして機能する。発信側および着信側の通信端末としては、無線通信端末ＵＡ（User Agent）１０，ＵＡ２０がある。これらの各端末は、上述した各サーバやＧＷと、オペレータパケットネットワークＮＥＴ１、オペレータ回線交換ネットワークＮＥＴ２、オペレータ無線通信パケットネットワークＲＮＥＴ１，ＲＮＥＴ２を介して接続されている。
【００１９】
無線通信端末ＵＡ１０は、オペレータ無線通信パケットネットワークＲＮＥＴ１およびオペレータ無線通信パケットネットワークＲＮＥＴ２に接続可能なマルチモード端末であり、無線通信端末ＵＡ２０は、オペレータ無線通信パケットネットワークＲＮＥＴ１、オペレータ無線通信パケットネットワークＲＮＥＴ２およびオペレータ回線交換ネットワークＮＥＴ２に接続可能なマルチモード端末である。オペレータ無線通信パケットネットワークＲＮＥＴ２は、オペレータ無線通信パケットネットワークＲＮＥＴ１に比べてより広帯域なネットワークである。無線通信端末ＵＡ１０は、通常待ち受け時には、どちらか一方のオペレータ無線通信パケットネットワークが接続されており、ドーマント状態である。また、無線通信端末ＵＡ２０は、オペレータ回線交換ネットワークＮＥＴ２で待ち受けしており、オペレータ無線通信パケットネットワークＲＮＥＴ１およびオペレータ無線通信パケットネットワークＲＮＥＴ２には接続されていない。
【００２０】
図２は本発明の第１実施形態の通信制御方法を適用する無線通信ネットワークの通信構成２を示す図である。この通信構成例２は、通信構成例１にあったＳＭＳサーバ５００およびオペレータ回線交換ネットワークＮＥＴ２が省略されている。図２に示すように、無線通信端末ＵＡ１０、無線通信端末ＵＡ２０の双方は、オペレータ無線通信パケットネットワークＲＮＥＴ１およびオペレータ無線通信パケットネットワークＲＮＥＴ２のみに接続可能なマルチモード端末である。オペレータ無線通信パケットネットワークＲＮＥＴ２は、オペレータ無線通信パケットネットワークＲＮＥＴ１に比べてより広帯域なネットワークである。無線通信端末ＵＡ１０および無線通信端末ＵＡ２０は、通常待ち受け時には、どちらか一方のオペレータ無線通信パケットネットワークが接続され、ＳＩＰサーバ３００に登録されている。
【００２１】
図３は本発明の無線通信ネットワークで用いる無線通信端末の機能ブロック図である。図３に示すように、無線通信端末ＵＡ１０，ＵＡ２０は、通信処理部１１０、制御部（ＣＰＵ、プロセッサ）１２０、操作（プリファレンス）入力部１３０、ＳＩＰ（拡張）処理部１４０、無線通信ネットワーク選択処理部１５０、記憶部１６０、スピーカＳＰ，マイクロフォンＭＩＣ、表示部１７０、音声変調／復調部１８０、および画像変調／復調部１９０を備える。通信処理部１１０は、無線通信ネットワーク選択処理部１５０やＳＩＰ処理部１４０などを介して呼設定メッセージ（ＩＮＶＩＴＥメッセージ）を送受信する送信部や受信部として機能する。また、通信処理部１１０は、無線通信ネットワーク選択処理部１５０を介してパケット交換ネットワークと問い合わせメッセージ（ＳＭＳメッセージ）の送受信を行う送信部、受信部としても機能する（無線通信端末ＵＡ１０はＳＭＳメッセージの送受信を行えない装置も含む）。
【００２２】
図４は本発明の無線通信ネットワークで用いるＳＩＰサーバ（呼制御サーバ）の機能ブロック図である。図４に示すように、ＳＩＰサーバ３００は、ログイン（登録）処理部３１０、呼出要求受信部３２０、登録通知生成部３３０、登録通知送信部３４０、アドレス解決処理部３５０、呼出要求生成部３６０、呼出要求送信部３７０、発信希望記憶部３８０および発信希望処理部３９０を備える。ログイン（登録）処理部３１０は、端末からのログイン（登録；Register）要求を受け取り、必要な処理を行う。呼出要求受信部３２０は、発信側のプリファレンス情報を含み、着信側を呼び出すための呼設定メッセージ（Inviteメッセージ）を受信する。呼出要求生成部３６０は、呼出要求受信部３２０により受信された呼設定メッセージを着呼側に伝えるために、前記呼設定メッセージを受信したことを示す情報と、呼設定メッセージに含まれる希望する条件（プリファレンス情報）とを含む呼出要求情報を生成する。呼出要求送信部３７０は、生成された呼出要求情報をＳＭＳサーバ（メッセージ送信サーバ）に送信する、または、ＳＩＰプロトコルに基づいて生成された呼出要求情報を着信側端末に送信する。発信希望記憶部３８０は、無線通信端末ＵＡ１０からの発信希望条件（希望する無線通信ネットワーク、アプリケーションや課金等）を記憶する。発信希望処理部３９０は、無線通信端末ＵＡ１０からの発信希望条件に基づいて、必要な処理を行う。
【００２３】
図５は第１実施形態の通信制御方法において、発信側無線通信端末（発信元端末）ＵＡ１０が回線交換網に接続できる着信側無線通信端末（発信先端末）ＵＡ２０に発信し、リアルタイムアプリケーションで通信を開始するまでの通信制御を示すシーケンス図であり、着信側無線通信端末（発信先端末）ＵＡ２０が帯域の足りない無線通信ネットワークを選択した場合を示している。
まず、発信元端末ＵＡ１０は、オペレータ無線通信パケットネットワークＲＮＥＴ２（以下、無線ネットワークＲＮＥＴ２という）に接続して（無線ネットワークＲＮＥＴ２を利用して）、ＳＩＰサーバ３００に登録（REGISTER）を行う。このとき、ＳＩＰサーバ３００では、図６のステップＳ０１〜Ｓ０３に示す処理を行う。すなわち、図６のステップＳ０１で、端末（この場合、発信元端末ＵＡ１０）から登録要求（REGISTER REQUEST）を受信すると、次のステップＳ０２では、図７に例示する登録（Register）記憶テーブルに当該端末のアドレス・番号・ネットワーク名を登録する。その後、ステップＳ０３の判断は、この時点では通信相手の端末への発信希望が無いため、Ｎｏになって終了して、待機状態となる。
【００２４】
次に、発信元端末ＵＡ１０は、発信先端末ＵＡ２０に対する呼出要求（INVITE）をＳＩＰサーバ３００に送る。この呼出要求（INVITE）には、図８に例示するように、
・発信側無線通信端末の接続できる無線ネットワークリスト:無線ネットワークＲＮＥＴ１、ＲＮＥＴ２
・アプリケーション名：テレビ電話
・アプリケーションに必要な帯域：５００ｋｂｐｓ
・発信側が希望する無線ネットワーク：無線ネットワークＲＮＥＴ２
・「帯域優先」か「料金の安さを優先」かの情報：「帯域優先」
の情報が含まれている。
【００２５】
上記呼出要求（INVITE）を受信したＳＩＰサーバ３００は、発信先端末ＵＡ２０がまだ登録されていないことを確認すると、発信元番号および発信先番号、発信側（発信元）が希望する無線ネットワークを、発信希望として発信希望記憶テーブル（その構成を図９に例示する）に記憶した後、発信先端末ＵＡ２０に対し、ＧＷ４０を経由して、ＳＭＳサーバ５００（その構成を図１０に例示する）から、ＳＭＳで起動メッセージを送信する。この起動メッセージにも、上記呼出要求（INVITE）に含まれる情報が入っている。このとき、ＳＩＰサーバ３００では、図１１のステップＳ１１〜Ｓ１３、Ｓ１６に示す処理を行う。すなわち、図１１のステップＳ１１で、端末（この場合、発信元端末ＵＡ１０）から呼出要求（INVITE）を受信すると、次のステップＳ１２では、発信元端末の番号と呼出要求（INVITE）の発信先の番号との組合せと、発信元が希望する無線ネットワーク名とを、発信希望として発信希望記憶テーブルに登録または上書きする。次のステップＳ１３では、発信先の端末は発信元が希望する無線ネットワークに登録されているか否かを判断し、登録されていなければ、ステップＳ１６に進んで、ＳＭＳサーバ５００経由で発信先の端末に呼出要求情報を送信した後、終了して、待機状態となる。
【００２６】
なお、上記ステップＳ１３の判断時に、既にＳＩＰサーバ３００に登録されている着信側無線通信端末ＵＡ２０の無線ネットワークが発信元端末ＵＡ１０が希望する無線ネットワークであった場合には、ＳＩＰサーバ３００は、呼出要求（INVITE）をそのまま発信先の端末に送信する。このとき、ＳＩＰサーバ３００では、図１１のステップＳ１３のＹｅｓ−Ｓ１４−Ｓ１５に示す処理を行う。すなわち、図１１のステップＳ１３の判断がＹｅｓのときに進むステップＳ１４では、発信希望を削除し、次のステップＳ１５では、ＳＩＰサーバ３００は、呼出要求（INVITE）を発信先の端末に送信し、以後通常のＳＩＰの手続に移行する。また、発信先端末ＵＡ２０がオペレータ回線交換ネットワーク（ＮＥＴ２）に接続できない端末であった場合には、オペレータ無線通信パケットネットワーク（ＲＮＥＴ１またはＲＮＥＴ２）のページング情報に呼出要求（INVITE）の情報を載せて、発信先端末を呼び出せばよい。また、発信先の端末がインターネットに接続されたＰＣ等であって、既にＳＩＰサーバ３００に登録されている場合には、その端末のアドレスに対し呼出要求（INVITE）の情報を送信すればよい。
【００２７】
ＳＭＳ５００から起動メッセージを受け取った発信先端末ＵＡ２０は、起動メッセージ内の情報と自らが現在接続できる無線ネットワークとを考慮して、発信先端末ＵＡ２０で接続する無線ネットワークとしてオペレータ無線通信パケットネットワークＲＮＥＴ１を選択して、選択した無線ネットワークに接続した後、ＳＩＰサーバ３００サーバに登録する。この登録時に、ＳＩＰサーバ３００は、発信先端末ＵＡ２０がオペレータ無線通信パケットネットワークＲＮＥＴ１（発信元端末ＵＡ１０が希望した無線ネットワークとは異なる無線ネットワーク）で接続および登録したことを確認すると、発信元端末ＵＡ１０に、発信先端末ＵＡ２０がオペレータ無線通信パケットネットワークＲＮＥＴ１で登録したことを通知する。この場合、発信先端末ＵＡ２０が発信元端末ＵＡ１０が希望した無線ネットワークとは異なる無線ネットワークで接続および登録しているため、ＳＩＰサーバ３００は、呼出要求（INVITE）を発信先端末に送信しないように制御する。
【００２８】
このとき、ＳＩＰサーバ３００では、図６のステップＳ０１−Ｓ０２−Ｓ０３のＹｅｓ−Ｓ０４のＮｏ−Ｓ０６に示す処理を行う。すなわち、図６のステップＳ０１で、端末（この場合、発信先端末ＵＡ２０）から登録（REGISTER）を受信すると、次のステップＳ０２では、図７に例示する登録（Register）記憶テーブルに当該端末のアドレス・番号・ネットワーク名を登録する。その後、ステップＳ０３の判断は、通信相手の端末への発信希望があるため、Ｙｅｓになり、ステップＳ０４に進む。ステップＳ０４では、発信先端末ＵＡ２０は発信元端末ＵＡ１０が希望した無線ネットワーク（ＲＮＥＴ２）で登録したか否かを判断するが、この判断がＮｏになるため、ステップＳ０６に進む。ステップＳ０６では、発信元通信端末ＵＡ１０へ、発信先端末ＵＡ２０の登録情報（登録した無線ネットワーク名も含む）を通知する。なお、発信先端末ＵＡ２０が発信元端末ＵＡ１０が希望した無線ネットワークで接続および登録している場合には、ステップＳ０４の判断がＹｅｓになってステップＳ０５に進み、ステップＳ０５では、ＳＩＰサーバ３００は、呼出要求（INVITE）を発信先端末に送信し、以後通常のＳＩＰの手続を行い、通信を開始する。
【００２９】
上記登録情報の通知を受けた発信元端末ＵＡ１０は、無線ネットワーク（ＲＮＥＴ１）では帯域が不足すること、および、無線ネットワーク（ＲＮＥＴ１）の課金は無線ネットワーク（ＲＮＥＴ２）の課金以下であることを確認すると、ユーザに帯域の少ないアプリケーション（モノクロテレビ電話または電話）に変更して通信を行うか、もしくは、中断するかを確認させるために、図１２に例示するユーザ選択画面を表示する。このユーザ選択画面を見たユーザがアプリケーションを変更して通信を行うことを選択した場合には、無線ネットワーク（ＲＮＥＴ２）を切断して無線ネットワーク（ＲＮＥＴ１）で接続し、ＳＩＰサーバ３００に登録した後、発信先端末ＵＡ２０に対する呼出要求（INVITE）を送信（再送信）する。この再送信時には、先の呼出要求（INVITE）はＳＩＰサーバ３００でキャンセルされている。この呼出要求（INVITE）には、
・アプリケーション名：モノクロテレビ電話
・発信側が希望する無線ネットワーク：無線ネットワークＲＮＥＴ１
が書かれている。
なお、上記確認時に、アプリケーションを変更しないことが選択された場合には、そのまま無線ネットワーク（ＲＮＥＴ２）で同じ呼出要求（INVITE）を送信（再送信）する。また、上記確認時に中断が選択された場合には、中断することをＳＩＰサーバ３００を経由して発信先端末ＵＡ２０に通知する。この中断の通知を受け取った発信先端末ＵＡ２０では、必要に応じて無線ネットワークＲＮＥＴ１を切断する。
【００３０】
発信先端末ＵＡ２０の登録している無線ネットワーク（無線ネットワークＲＮＥＴ１）が発信元端末ＵＡ１０が希望する無線ネットワーク（無線ネットワークＲＮＥＴ１）と一致することをＳＩＰサーバ３００が確認すると、当該呼出要求（INVITE）を発信先端末ＵＡ２０に送信する。このとき、ＳＩＰサーバ３００では、図１１のＳ１１−Ｓ１２−Ｓ１３のＹｅｓ−Ｓ１４−Ｓ１５に示す処理を行う。その後、発信元端末ＵＡ１０および発信先端末ＵＡ２０は、図５に示した通話に必要なＳＩＰの手続を行い、リアルタイムアプリケーションの通信を開始する。
【００３１】
図５の通信制御方法によれば、発信側の無線通信端末ＵＡ１０が回線交換ネットワークに接続できない場合においても、通信開始前に、発信側・着信側間を接続する無線通信システムの選択のための情報の通知を、ＳＩＰサーバ３００を介してネットワーク側が着信側の無線通信端末ＵＡ２０へ回線交換ネットワークを介して通知するので、発信側の無線通信端末ＵＡ１０が回線交換ネットワークに接続できる能力（機能）を備えていなくても実現することができる。また、着信側の無線通信端末ＵＡ２０からの通知に伴う発信側の無線通信端末ＵＡ１０の無線ネットワークの切換も通信開始前にＳＩＰサーバ３００および端末間で行うので、発信側・着信側双方のユーザの希望する無線通信システムの条件（無線通信ネットワーク、帯域、課金など）に応じた、双方において最適な無線通信システム（この場合、無線ネットワークＲＮＥＴ１）を利用して通信を行うことができる。
【００３２】
図１３は第１実施形態の通信制御方法において、発信側無線通信端末（発信元端末）ＵＡ１０が回線交換網に接続できる着信側無線通信端末（発信先端末）ＵＡ２０に発信し、リアルタイムアプリケーションで通信を開始するまでの通信制御を示すシーケンス図であり、着信側無線通信端末（発信先端末）ＵＡ２０が選択した無線ネットワークに合わせて発信側無線通信端末（発信元端末）ＵＡ１０が無線ネットワークを切り換える際に料金が上がる場合を示している。
まず、発信元端末ＵＡ１０は、オペレータ無線通信パケットネットワークＲＮＥＴ１（以下、無線ＲＮＥＴ１という）に接続して（無線ＲＮＥＴ１を利用して）、ＳＩＰサーバ３００に登録（REGISTER）を行う。このとき、ＳＩＰサーバ３００では、図６のステップＳ０１〜Ｓ０３に示す処理を行う。すなわち、図６のステップＳ０１で、端末（この場合、発信元端末ＵＡ１０）から登録要求（REGISTER REQUEST）を受信すると、次のステップＳ０２では、図７に例示する登録（Register）記憶テーブルに当該端末のアドレス・番号・ネットワーク名を登録する。その後、ステップＳ０３の判断は、この時点では通信相手の端末への発信希望が無いため、Ｎｏになって終了して、待機状態となる。
【００３３】
次に、発信元端末ＵＡ１０は、発信先端末ＵＡ２０に対する呼出要求（INVITE）をＳＩＰサーバ３００に送る。この呼出要求（INVITE）には、図８のフォーマットに基づいて下記内容にて生成される。
・発信側無線通信端末の接続できる無線ネットワークリスト:無線ネットワークＲＮＥＴ１、ＲＮＥＴ２
・アプリケーション名：電話
・アプリケーションに必要な帯域：５０ｋｂｐｓ
・発信側が希望する無線ネットワーク：無線ネットワークＲＮＥＴ１
・「帯域優先」か「料金の安さを優先」かの情報：「帯域優先」
の情報が含まれている。
【００３４】
上記呼出要求（INVITE）を受信したＳＩＰサーバ３００は、発信先端末ＵＡ２０がまだ登録されていないことを確認すると、発信元番号および発信先番号、発信側（発信元）が希望する無線ネットワークを、発信希望として発信希望記憶テーブル（その構成は図９に基づく）に記憶した後、発信先端末ＵＡ２０に対し、ＧＷ４０を経由して、ＳＭＳサーバ５００（その構成を図１０に例示する）から、ＳＭＳで起動メッセージを送信する。この起動メッセージにも、上記呼出要求（INVITE）に含まれる情報が入っている。このとき、ＳＩＰサーバ３００では、図１１のステップＳ１１〜Ｓ１３、Ｓ１６に示す処理を行う。すなわち、図１１のステップＳ１１で、端末（この場合、発信元端末ＵＡ１０）から呼出要求（INVITE）を受信すると、次のステップＳ１２では、発信元端末の番号と呼出要求（INVITE）の発信先の番号との組合せと、発信元が希望する無線ネットワーク名とを、発信希望として発信希望記憶テーブルに登録または上書きする。次のステップＳ１３では、発信先の端末は発信元が希望する無線ネットワークに登録されているか否かを判断し、登録されていなければ、ステップＳ１６に進んで、ＳＭＳサーバ５００経由で発信先の端末に呼出要求情報を送信した後、終了して、待機状態となる。
【００３５】
ＳＭＳ５００から起動メッセージを受け取った発信先端末ＵＡ２０は、起動メッセージ内の情報と自らが現在接続できる無線ネットワークとを考慮して、発信先端末ＵＡ２０で接続する無線ネットワークとしてオペレータ無線通信パケットネットワークＲＮＥＴ２を選択して、選択した無線ネットワークに接続した後、ＳＩＰサーバ３００に登録する。この登録時に、ＳＩＰサーバ３００は、発信先端末ＵＡ２０がオペレータ無線通信パケットネットワークＲＮＥＴ２（発信元端末ＵＡ１０が希望した無線ネットワークとは異なる無線ネットワーク）で接続および登録したことを確認すると、発信元端末ＵＡ１０に、発信先端末ＵＡ２０がオペレータ無線通信パケットネットワークＲＮＥＴ２で登録したことを通知する。この場合、発信先端末ＵＡ２０が発信元端末ＵＡ１０が希望した無線ネットワークとは異なる無線ネットワークで接続および登録しているため、ＳＩＰサーバ３００は、呼出要求（INVITE）を発信先端末に送信しないように制御する。
【００３６】
このとき、ＳＩＰサーバ３００では、図６のステップＳ０１−Ｓ０２−Ｓ０３のＹｅｓ−Ｓ０４のＮｏ−Ｓ０６に示す処理を行う。すなわち、図６のステップＳ０１で、端末（この場合、発信先端末ＵＡ２０）から登録（REGISTER）を受信すると、次のステップＳ０２では、図７に例示する登録（Register）記憶テーブルに当該端末のアドレス・番号・ネットワーク名を登録する。その後、ステップＳ０３の判断は、通信相手の端末への発信希望があるため、Ｙｅｓになり、ステップＳ０４に進む。ステップＳ０４では、発信先端末ＵＡ２０は発信元端末ＵＡ１０が希望した無線ネットワーク（ＲＮＥＴ１）で登録したか否かを判断するが、この判断がＮｏになるためステップＳ０６に進む。ステップＳ０６では、発信元通信端末ＵＡ１０へ、発信先端末ＵＡ２０の登録情報（登録した無線ネットワーク名も含む）を通知する。
【００３７】
上記登録情報の通知を受けた発信元端末ＵＡ１０は、無線ネットワーク（ＲＮＥＴ２）の帯域は十分に大きいが、無線ネットワーク（ＲＮＥＴ２）の課金は無線ネットワーク（ＲＮＥＴ１）の課金より高いことを確認すると、ユーザに課金の増加金額を提示して、中断するか、そのままのアプリケーションで通信を開始するか、帯域の大きいアプリケーションに変更して通信するかの選択を要求するために、図１４に例示するユーザ選択画面を表示する。このユーザ選択画面を見たユーザが、帯域の大きいアプリケーションに変更して通信することを選択した場合には、無線ネットワーク（ＲＮＥＴ１）を切断して無線ネットワーク（ＲＮＥＴ２）で接続し、ＳＩＰサーバ３００に登録した後、発信先端末ＵＡ２０に対する呼出要求（INVITE）を送信（再送信）する。この再送信時には、先の呼出要求（INVITE）はＳＩＰサーバ３００でキャンセルされている。この呼出要求（INVITE）には、
・アプリケーション名：テレビ電話
・発信側が希望する無線ネットワーク：無線ネットワークＲＮＥＴ２
が書かれている。
【００３８】
発信先端末ＵＡ２０の登録している無線ネットワーク（無線ネットワークＲＮＥＴ２）が発信元端末ＵＡ１０が希望する無線ネットワーク（無線ネットワークＲＮＥＴ２）と一致することをＳＩＰサーバ３００が確認すると、当該呼出要求（INVITE）を発信先端末ＵＡ２０に送信する。このとき、ＳＩＰサーバ３００では、図１１のＳ１１−Ｓ１２−Ｓ１３のＹｅｓ−Ｓ１４−Ｓ１５に示す処理を行う。その後、発信元端末ＵＡ１０および発信先端末ＵＡ２０は、図１３に示した通話に必要なＳＩＰの手続を行い、リアルタイムアプリケーションの通信を開始する。
【００３９】
図１３の通信制御方法によれば、発信側の無線通信端末ＵＡ１０が回線交換ネットワークに接続できない場合においても、通信開始前に、発信側・着信側間を接続する無線通信システムの選択のための情報の通知を、ＳＩＰサーバ３００を介してネットワーク側が着信側の無線通信端末ＵＡ２０へ回線交換ネットワークを介して通知するので、発信側の無線通信端末ＵＡ１０が回線交換ネットワークに接続できる能力（機能）を備えていなくても実現することができる。また、着信側の無線通信端末ＵＡ２０からの通知に伴う発信側の無線通信端末ＵＡ１０の無線ネットワークの切換も通信開始前にＳＩＰサーバ３００および端末間で行うので、発信側・着信側双方のユーザの希望する無線通信システムの条件（無線通信ネットワーク、帯域、課金など）に応じた、双方において最適な無線通信システム（この場合、無線ネットワークＲＮＥＴ２）を利用して通信を行うことができる。
【００４０】
図１５は第１実施形態の通信制御方法において、回線交換網に接続できない（機能を備えていない場合も含む）着信側無線通信端末（発信先端末）ＵＡ２０が無線ネットワークＲＮＥＴ１でＳＩＰサーバ３００に登録（REGISTRATION）しているときに、回線交換網に接続できない（機能を備えていない場合も含む）発信側無線通信端末（発信元端末）ＵＡ１０が着信側無線通信端末（発信先端末）ＵＡ２０に発信し、リアルタイムアプリケーションで通信を開始するまでの通信制御を示すシーケンス図であり、着信側無線通信端末（発信先端末）ＵＡ２０が帯域の足りない無線通信ネットワークを選択した場合を示している。
【００４１】
まず、発信元端末ＵＡ１０は、無線ネットワークＲＮＥＴ２に接続して（無線ネットワークＲＮＥＴ２を利用して）ＳＩＰサーバ３００に登録(REGISTER)を行う。このとき、ＳＩＰサーバ３００では、図６のステップＳ０１〜Ｓ０３に示す処理を行い、図７に例示する登録（Register）記憶テーブルに当該端末のアドレス・番号・ネットワーク名を登録する。次に、発信元端末ＵＡ１０は、発信先端末ＵＡ２０に対する呼出要求（INVITE）をＳＩＰサーバ３００に送る。この呼出要求（INVITE）には、図８に例示するように、
・発信側無線通信端末の接続できる無線ネットワークリスト:無線ネットワークＲＮＥＴ１、ＲＮＥＴ２
・アプリケーション名：テレビ電話
・アプリケーションに必要な帯域：５００ｋｂｐｓ
・発信側が希望する無線ネットワーク：無線ネットワークＲＮＥＴ２
・「帯域優先」か「料金の安さを優先」かの情報：「帯域優先」
の情報が含まれている。
【００４２】
上記呼出要求（INVITE）を受信したＳＩＰサーバ３００は、発信先端末ＵＡ２０は登録されているが、発信先端末ＵＡ２０が接続している無線ネットワーク（無線ネットワークＲＮＥＴ１）が発信元端末ＵＡ１０が希望する無線ネットワーク（無線ネットワークＲＮＥＴ２）ではないことを確認すると、発信元番号および発信先番号、発信側（発信元）が希望する無線ネットワークを、発信希望として発信希望記憶テーブル（その構成を図９に例示する）に記憶する。その後、ＳＩＰサーバ３００は、図１１のステップＳ１１〜Ｓ１３、Ｓ１６に示す処理を行い、発信先端末ＵＡ２０に対し、呼出要求情報を送信する。この呼出要求情報にも、上記呼出要求（INVITE）に含まれる情報が入っている。
【００４３】
ＳＩＰサーバ３００から呼出要求情報を受け取った発信先端末ＵＡ２０は、呼出要求情報内の情報と自らが現在接続できる無線ネットワークとを考慮して、発信先端末ＵＡ２０で接続する無線ネットワークとして無線ネットワークＲＮＥＴ１を選択して、選択した無線ネットワークに接続した後、ＳＩＰサーバ３００に登録する。この場合、発信先端末ＵＡ２０は無線ネットワークＲＮＥＴ１を選択し、以前から無線ネットワークＲＮＥＴ１で登録（REGISTRATION）しているので、再びＳＩＰサーバ３００への登録（REGISTRATION）を行う。この登録時に、ＳＩＰサーバ３００は、発信先端末ＵＡ２０が無線ネットワークＲＮＥＴ１（発信元端末ＵＡ１０が希望した無線ネットワークとは異なる無線ネットワーク）で接続および登録したことを確認すると、発信元端末ＵＡ１０に、発信先端末ＵＡ２０が無線通信ネットワークＲＮＥＴ１で登録したことを通知する。この場合、発信先端末ＵＡ２０が発信元端末ＵＡ１０が希望した無線ネットワークとは異なる無線ネットワークで接続および登録しているため、ＳＩＰサーバ３００は、呼出要求（INVITE）を発信先端末に送信しないように制御する。また、発信先端末ＵＡ２０の処理として、再登録を行わなくても、上記と同様の無線ネットワークＲＮＥＴ１で接続および登録していることをＳＩＰサーバ３００が検出することができれば、通知等で行ってもよい。
【００４４】
上記登録情報の通知を受けた発信元端末ＵＡ１０は、無線ネットワーク（ＲＮＥＴ１）では帯域が不足すること、および、無線ネットワーク（ＲＮＥＴ１）の課金は無線ネットワーク（ＲＮＥＴ２）の課金以下であることを確認すると、ユーザに帯域の少ないアプリケーション（モノクロテレビ電話または電話）に変更して通信を行うか、もしくは、中断するかを確認させるために、図１２に例示するユーザ選択画面を表示する。このユーザ選択画面を見たユーザがアプリケーションを変更して通信を行うことを選択した場合には、無線ネットワーク（ＲＮＥＴ２）を切断して無線ネットワーク（ＲＮＥＴ１）で接続し、ＳＩＰサーバ３００に登録した後、発信先端末ＵＡ２０に対する呼出要求（INVITE）を送信（再送信）する。この再送信時には、先の呼出要求（INVITE）はＳＩＰサーバ３００でキャンセルされている。この呼出要求（INVITE）には、
・アプリケーション名：モノクロテレビ電話
・発信側が希望する無線ネットワーク：無線ネットワークＲＮＥＴ１
が書かれている。
【００４５】
発信先端末ＵＡ２０の登録している無線ネットワーク（無線ネットワークＲＮＥＴ１）と、発信元端末ＵＡ１０が希望する無線ネットワーク（無線ネットワークＲＮＥＴ１）とが一致することをＳＩＰサーバ３００が確認すると、当該呼出要求（INVITE）を発信先端末ＵＡ２０に送信する。このとき、ＳＩＰサーバ３００では、図１１のＳ１１−Ｓ１２−Ｓ１３のＹｅｓ−Ｓ１４−Ｓ１５に示す処理を行う。その後、発信元端末ＵＡ１０および発信先端末ＵＡ２０は、図１５に示した通話に必要なＳＩＰの手続を行い、リアルタイムアプリケーションの通信を開始する。
【００４６】
図１５の通信制御方法によれば、発信側の無線通信端末ＵＡ１０、着信側の無線通信端末ＵＡ２０の双方が回線交換ネットワークに接続できない場合（機能がない場合も含む）においても、通信開始前に、発信側・着信側間を接続する無線通信システムの選択のための情報のやり取りを、所定の無線通信システム（ＲＮＥＴ１，ＲＮＥＴ２）およびＳＩＰサーバ３００を介して行い、無線ネットワークの切換も通信開始前にＳＩＰサーバ３００および端末間で行うので、発信側・着信側双方のユーザの希望する無線通信システムの条件（無線通信ネットワーク、帯域、課金など）に応じた、双方において最適な無線通信システム（この場合、無線ネットワークＲＮＥＴ１）を利用して通信を行うことができる。
【００４７】
図１６は第１実施形態の通信制御方法において、回線交換網に接続できない（機能がない場合も含む）着信側無線通信端末（発信先端末）ＵＡ２０が無線ネットワークＲＮＥＴ１でＳＩＰサーバ３００に登録（REGISTRATION）しているときに、回線交換網に接続できない（機能がない場合も含む）発信側無線通信端末（発信元端末）ＵＡ１０が着信側無線通信端末（発信先端末）ＵＡ２０に発信し、リアルタイムアプリケーションで通信を開始するまでの通信制御を示すシーケンス図であり、発信側無線通信端末（発信元端末）ＵＡ１０が希望する無線ネットワーク（無線ネットワークＲＮＥＴ２）に着信側無線通信端末（発信先端末）ＵＡ２０が無線ネットワークを切換可能な場合を示している。
【００４８】
まず、発信元端末ＵＡ１０は、無線ネットワークＲＮＥＴ２に接続して（無線ネットワークＲＮＥＴ２を利用して）ＳＩＰサーバ３００に登録(REGISTER)を行う。このとき、ＳＩＰサーバ３００では、図６のステップＳ０１〜Ｓ０３に示す処理を行い、図７に例示する登録（Register）記憶テーブルに当該端末のアドレス・番号・ネットワーク名を登録する。次に、発信元端末ＵＡ１０は、発信先端末ＵＡ２０に対する呼出要求（INVITE）をＳＩＰサーバ３００に送る。この呼出要求（INVITE）には、図８に例示するように、
・発信側無線通信端末の接続できる無線ネットワークリスト:無線ネットワークＲＮＥＴ１、ＲＮＥＴ２
・アプリケーション名：テレビ電話
・アプリケーションに必要な帯域：５００ｋｂｐｓ
・発信側が希望する無線ネットワーク：無線ネットワークＲＮＥＴ２
・「帯域優先」か「料金の安さを優先」かの情報：「帯域優先」
の情報が含まれている。
【００４９】
上記呼出要求（INVITE）を受信したＳＩＰサーバ３００は、発信先端末ＵＡ２０は登録されているが、発信先端末ＵＡ２０が接続している無線ネットワーク（無線ネットワークＲＮＥＴ１）が発信元端末ＵＡ１０が希望する無線ネットワーク（無線ネットワークＲＮＥＴ２）ではないことを確認すると、発信元番号および発信先番号、発信側（発信元）が希望する無線ネットワークを、発信希望として発信希望記憶テーブル（その構成を図９に例示する）に記憶する。その後、ＳＩＰサーバ３００は、図１１のステップＳ１１〜Ｓ１３、Ｓ１６に示す処理を行い、発信先端末ＵＡ２０に対し、呼出要求情報を送信する。この呼出要求情報にも、上記呼出要求（INVITE）に含まれる情報が入っている。
【００５０】
ＳＩＰサーバ３００から呼出要求情報を受け取った発信先端末ＵＡ２０は、呼出要求情報内の情報と自らが現在接続できる無線ネットワークとを考慮して、発信先端末ＵＡ２０で接続する無線ネットワークとして発信元端末ＵＡ１０が希望する無線ネットワークＲＮＥＴ２を選択し、無線ネットワークＲＮＥＴ１で登録解除（UNREGISTER）を行って無線ネットワークＲＮＥＴ１の接続を切断した後、無線ネットワークＲＮＥＴ２でＳＩＰサーバ３００への登録（REGISTRATION）を行う。この登録時に、ＳＩＰサーバ３００は、発信先端末ＵＡ２０が無線ネットワークＲＮＥＴ２（発信元端末ＵＡ１０が希望した無線ネットワーク）で接続および登録したことを確認すると、呼出要求（INVITE）を発信先端末ＵＡ２０に送信する。このとき、ＳＩＰサーバ３００では、図６のＳ０１−Ｓ０２−Ｓ０３のＹｅｓ−Ｓ０４のＹｅｓ−Ｓ０５に示す処理を行う。その後、発信元端末ＵＡ１０および発信先端末ＵＡ２０は、図１６に示した通話に必要なＳＩＰの手続を行い、リアルタイムアプリケーションの通信を開始する。
【００５１】
図１６の通信制御方法によれば、発信側の無線通信端末ＵＡ１０、着信側の無線通信端末ＵＡ２０の双方が回線交換ネットワークに接続できない場合（機能がない場合も含む）においても、通信開始前に、発信側・着信側間を接続する無線通信システムの選択のための情報のやり取りを、所定の無線通信システム（ＲＮＥＴ１，ＲＮＥＴ２）およびＳＩＰサーバ３００を介して行い、無線ネットワークの切換も通信開始前にＳＩＰサーバ３００および端末間で行うので、発信側・着信側双方のユーザの希望する無線通信システムの条件（無線通信ネットワーク、帯域、課金など）に応じた、双方において最適な無線通信システム（この場合、無線ネットワークＲＮＥＴ２）を利用して通信を行うことができる。
【図面の簡単な説明】
【００５２】
【図１】本発明の第１実施形態の通信制御方法を適用する無線通信ネットワークの通信構成１を示す図である。
【図２】本発明の第１実施形態の通信制御方法を適用する無線通信ネットワークの通信構成２を示す図である。
【図３】本発明の無線通信ネットワークで用いる無線通信端末の機能ブロック図である。
【図４】本発明の無線通信ネットワークで用いるＳＩＰサーバ（呼制御サーバ）の機能ブロック図である。
【図５】第１実施形態の通信制御方法において、発信側無線通信端末および着信側無線通信端末間で通信を開始するまでの通信制御を示すシーケンス図である。
【図６】第１実施形態の通信制御方法において、ＳＩＰサーバが行う呼制御を示すフローチャートである。
【図７】第１実施形態の通信制御方法において、ＳＩＰサーバが呼制御に用いる登録記憶テーブルを例示する図である。
【図８】第１実施形態の通信制御方法において、無線通信端末が送信する呼出要求（INVITE）を例示する図である。
【図９】第１実施形態の通信制御方法において、ＳＩＰサーバが無線通信端末の発信希望を記憶するために用いる発信希望記憶テーブルを例示する図である。
【図１０】第１実施形態の通信制御方法を適用する無線通信システムに用いるＳＭＳサーバの構成を示す図である。
【図１１】第１実施形態の通信制御方法において、ＳＩＰサーバが行う呼制御を示すフローチャートである。
【図１２】第１実施形態の通信制御方法において、発信側無線通信端末に表示するユーザ選択画面を例示する図である。
【図１３】第１実施形態の通信制御方法において、発信側無線通信端末および着信側無線通信端末間で通信を開始するまでの他の通信制御を示すシーケンス図である。
【図１４】第１実施形態の通信制御方法において、発信側無線通信端末に表示するユーザ選択画面を例示する図である。
【図１５】第１実施形態の通信制御方法において、発信側無線通信端末および着信側無線通信端末間で通信を開始するまでの他の通信制御を示すシーケンス図である。
【図１６】第１実施形態の通信制御方法において、発信側無線通信端末および着信側無線通信端末間で通信を開始するまでの他の通信制御を示すシーケンス図である。
【図１７】従来技術による無線通信ネットワークの構成を例示する図である。
【符号の説明】
【００５３】
４０  ゲートウェイ
６０，７０  ＳＩＰサーバ
１１０  通信処理部（送信部、受信部）
１２０  制御部
１３０  操作入力部
１４０  ＳＩＰ（拡張）処理部
１５０  無線通信ネットワーク選択処理部
１７０  情報表示部
１８０  音声変調／復調部
１９０  画像変調／復調部
３００  ＳＩＰサーバ（呼制御サーバ）
３１０  ログイン（登録）処理部
３２０  呼出要求受信部
３３０  登録通知生成部
３４０  登録通知送信部
３５０  アドレス解決処理部
３６０  呼出要求生成部
３７０  呼出要求送信部
３８０  発信希望記憶部
３９０  発信希望処理部
５００  ＳＭＳサーバ（メッセージ送信サーバ）
５１０  情報受信部
５２０  起動メッセージ送信部
ＭＩＣ  マイクロフォン
ＮＥＴ１ オペレータパケットネットワーク
ＮＥＴ２ オペレータ回線交換ネットワーク
ＲＮＥＴ１，ＲＮＥＴ２ オペレータ無線通信パケットネットワーク
ＵＡ１０，２０ 無線通信端末
【図１】
0005769909.tif 000002
【図２】
0005769909.tif 000003
【図３】
0005769909.tif 000004
【図４】
0005769909.tif 000005
【図５】
0005769909.tif 000006
【図６】
0005769909.tif 000007
【図７】
0005769909.tif 000008
【図８】
0005769909.tif 000009
【図９】
0005769909.tif 000010
【図１０】
0005769909.tif 000011
【図１１】
0005769909.tif 000012
【図１２】
0005769909.tif 000013
【図１３】
0005769909.tif 000014
【図１４】
0005769909.tif 000015
【図１５】
0005769909.tif 000016
【図１６】
0005769909.tif 000017
【図１７】
0005769909.tif 000018